(57)【要約】【課題】優れた操作性を具備させる。【解決手段】外容器２０には、ノズル筒１５が前後動するのに伴い出没する通過孔２０ａが形成され、操作ヘッド１８には、下方に向けて突設され、操作ヘッドの吐出ヘッド１６に対する下降移動に伴い、ノズル筒１５に突設された第１係合突部２５に係合して、ノズル筒を前方に移動させる第１操作突片４４が備えられ、収容体１９には、吐出ヘッドの上昇移動を規制する規制手段３１ｄ、３２ａと、容器本体１１に突設された第２係合突部２９を支持する支持部３３ａを有し、かつ支持部が上下動するように回動自在に配設された梃子部材３３と、が配設され、操作ヘッドは、下方に向けて突設され、操作ヘッドの吐出ヘッドに対する下降移動に伴い梃子部材に係合し、梃子部材を支持部が上昇するように回動させる第２操作突片４５を備える。【選択図】図１
2015143119.tif 000002
【特許請求の範囲】
【請求項１】
内容物が収容される容器本体と、
前記容器本体に上方付勢状態で下方移動自在に立設されたステム、及び、ステムの上端部に装着され、かつ前後方向に延在し前端に内容物の吐出される吐出孔が形成されたノズル筒を有する吐出ヘッドを備える吐出器と、
前記吐出ヘッドの上方に配置され、かつ前記吐出ヘッドに対して下降移動自在に配設された操作ヘッド、及び、前記容器本体を収容する収容体を有する外容器と、を備える吐出容器であって、
前記ノズル筒は前後動自在に配設されるとともに、前端位置に位置する前記ノズル筒を後方に復元移動させる付勢部材が備えられ、
前記外容器には、前記ノズル筒が前後動するのに伴い出没する通過孔が形成されるとともに、前記操作ヘッドには、下方に向けて突設され、前記操作ヘッドの前記吐出ヘッドに対する下降移動に伴い、前記ノズル筒に突設された第１係合突部に係合して、前記ノズル筒を前方に移動させる第１操作突片が備えられ、
前記収容体には、
前記吐出ヘッドの上昇移動を規制する規制手段と、
前記容器本体に突設された第２係合突部を支持する支持部を有し、かつ前記支持部が上下動するように回動自在に配設された梃子部材と、が配設され、
前記操作ヘッドは、下方に向けて突設され、前記操作ヘッドの前記吐出ヘッドに対する下降移動に伴い前記梃子部材に係合し、前記梃子部材を前記支持部が上昇するように回動させる第２操作突片を備えることを特徴とする吐出容器。
【請求項２】
前記梃子部材が、後方から前方に向かうに従い漸次下方に向けて延びる姿勢とされて、前記収容体に回動自在に支持され、前記梃子部材の下端部に、前記支持部が形成され、前記梃子部材の上端部に、前記第２操作突片が係合することを特徴とする請求項１に記載の吐出容器。
【発明の詳細な説明】
【技術分野】
【０００１】
本発明は、吐出容器に関するものである。
【背景技術】
【０００２】
従来、例えば下記特許文献１に示されるような、前方に向けて延びるノズル筒を有し、かつ前後動自在に配設された吐出ヘッドと、吐出ヘッドを囲い、かつ吐出ヘッドの前後動に伴い、ノズル筒が出没する通過孔が形成されたカバー体と、を備える吐出容器が知られている。
この吐出容器においては、内容物を吐出する前の待機状態で、ノズル筒をカバー体の内側に収容しておくので、ノズル筒が邪魔にならず、吐出容器の見映えの悪化を防ぐこともできる。
【先行技術文献】
【特許文献】
【０００３】
【特許文献１】実用新案登録第２５３９１８１号公報
【発明の概要】
【発明が解決しようとする課題】
【０００４】
しかしながら、前記従来の吐出容器では、内容物の吐出に際し、吐出ヘッドをカバー体に対して前進移動させる操作、及び吐出ヘッドを押下する操作の双方を行う必要があり、また、内容物の吐出後も、吐出ヘッドをカバー体に対して後退移動させる操作が必要になるため、操作性を向上させることに改善の余地があった。
【０００５】
本発明は、このような事情を考慮してなされたもので、内容物を吐出する前の待機状態で、ノズル筒が邪魔にならず、吐出容器の見映えの悪化を防ぐことができるだけでなく、優れた操作性を具備させることもできる吐出容器を提供することを目的とする。
【課題を解決するための手段】
【０００６】
上記課題を解決して、このような目的を達成するために、本発明の吐出容器は、内容物が収容される容器本体と、前記容器本体に上方付勢状態で下方移動自在に立設されたステム、及び、ステムの上端部に装着され、かつ前後方向に延在し前端に内容物の吐出される吐出孔が形成されたノズル筒を有する吐出ヘッドを備える吐出器と、前記吐出ヘッドの上方に配置され、かつ前記吐出ヘッドに対して下降移動自在に配設された操作ヘッド、及び、前記容器本体を収容する収容体を有する外容器と、を備える吐出容器であって、前記ノズル筒は前後動自在に配設されるとともに、前端位置に位置する前記ノズル筒を後方に復元移動させる付勢部材が備えられ、前記外容器には、前記ノズル筒が前後動するのに伴い出没する通過孔が形成されるとともに、前記操作ヘッドには、下方に向けて突設され、前記操作ヘッドの前記吐出ヘッドに対する下降移動に伴い、前記ノズル筒に突設された第１係合突部に係合して、前記ノズル筒を前方に移動させる第１操作突片が備えられ、前記収容体には、前記吐出ヘッドの上昇移動を規制する規制手段と、前記容器本体に突設された第２係合突部を支持する支持部を有し、かつ前記支持部が上下動するように回動自在に配設された梃子部材と、が配設され、前記操作ヘッドは、下方に向けて突設され、前記操作ヘッドの前記吐出ヘッドに対する下降移動に伴い前記梃子部材に係合し、前記梃子部材を前記支持部が上昇するように回動させる第２操作突片を備えることを特徴とする。
【０００７】
この発明によれば、操作ヘッドを吐出ヘッドに対して下降させると、第１操作突片が第１係合突部に係合することで、ノズル筒が前進し通過孔を通して操作ヘッドの外側に突出し、また、第２操作突片が梃子部材を支持部が上昇するように回動させる。そして、梃子部材により容器本体が押し上げられると、吐出ヘッドの上昇移動が規制手段により規制されているので、吐出ヘッド及びステムが相対的に容器本体に対して押し下げられることとなり、内容物が吐出孔から吐出される。
その後、操作ヘッドの押し下げを解除すると、付勢部材によりノズル筒が後方に復元移動させられて操作ヘッドの内側に戻り、また、ステムの復元力により容器本体が第２係合突部とともに下降することで、梃子部材が、支持部が下降するように回動する。
以上のように、操作ヘッドを押し下げる操作だけで、ノズル筒を操作ヘッドの外側に突出させて吐出孔から内容物を吐出することが可能になり、また、操作ヘッドの押し下げを解除するだけで、ノズル筒を操作ヘッドの内側に戻すことができる。
一方、内容物を吐出する前の待機状態では、吐出ヘッドが操作ヘッドに収容されていて、ノズル筒が操作ヘッドの内側に位置しているので、この待機状態で、ノズル筒が邪魔にならず、吐出容器の見映えの悪化を防ぐことができる。
以上より、内容物を吐出する前の待機状態で、ノズル筒が邪魔にならず、吐出容器の見映えの悪化を防ぐことができるだけでなく、優れた操作性を具備させることもできる。
さらに、前述のように、吐出ヘッド及びステムを相対的に容器本体に対して押し下げて内容物を吐出する際に、梃子部材を、支持部が上昇移動するように回動させるので、内容物を吐出する際に要する押下力を抑制することができる。
【０００８】
また、前記梃子部材が、後方から前方に向かうに従い漸次下方に向けて延びる姿勢とされて、前記収容体に回動自在に支持され、前記梃子部材の下端部に、前記支持部が形成され、前記梃子部材の上端部に、前記第２操作突片が係合してもよい。
【０００９】
この場合、第２操作突片により梃子部材の上端部を押し下げたときの力を、容器本体に効率よく伝達することが可能になり、操作性を確実に向上させることができる。
【発明の効果】
【００１０】
本発明によれば、内容物を吐出する前の待機状態で、ノズル筒が邪魔にならず、吐出容器の見映えの悪化を防ぐことができるだけでなく、優れた操作性を具備させることもできる。
【図面の簡単な説明】
【００１１】
【図１】本発明に係る一実施形態として示した吐出容器において、外容器を縦断面にしたときの側面図である。
【図２】図１に示す吐出容器のＡ−Ａ線矢視断面図である。
【図３】図１及び図２に示す吐出容器において、外容器及び吐出ヘッドを縦断面にしたときの側面図である。
【図４】図３に示す吐出容器のＢ−Ｂ線矢視断面図である。
【図５】図３に示す吐出容器において、操作ヘッドを押し下げ、ノズル筒を操作ヘッドの外側に突出させた状態を示す図である。
【図６】図５に示す吐出容器のＣ−Ｃ線矢視断面図である。
【図７】図３及び図５に示す吐出容器において、操作ヘッドを押し下げ、吐出孔から内容物を吐出している状態を示す図である。
【発明を実施するための形態】
【００１２】
以下、図面を参照し、本発明の一実施形態に係る吐出容器１について説明する。
本実施形態の吐出容器１は、図１〜図４に示されるように、内容物が収容される有底筒状の容器本体１１と、内容物の吐出される吐出孔１４を有する吐出ヘッド１６を備えた吐出器１７と、吐出ヘッド１６の上方に配置され、かつ吐出ヘッド１６に対して下降移動自在に配設された操作ヘッド１８、及び容器本体１１を収容する収容体１９を有する外容器２０と、を備えている。
以下、容器本体１１の横断面における中央を通る直線を中心軸Ｏといい、中心軸Ｏ方向から見た平面視において、中心軸Ｏに直交する方向を径方向といい、中心軸Ｏ回りに周回する方向を周方向という。
【００１３】
容器本体１１は、内容物が収容され、かつ口部を有する本体部と、口部に装着される装着キャップ１２と、を備えている。
吐出器１７は、容器本体１１に上方付勢状態で下方移動自在に立設されたステム１３と、ステム１３の上端部に装着され、かつ径方向の外側に向けて延在しその先端に吐出孔１４が形成されたノズル筒１５を有する吐出ヘッド１６と、図示されないポンプ機構と、を備えている。ポンプ機構は、容器本体１１内に収容されるシリンダ、ステム１３に連係しかつシリンダ内に上下摺動自在に嵌合されたピストン、及び弁等を備えている。
ここで、装着キャップ１２は有頂筒状に形成され、その頂壁からステム１３が上方に突出している。
【００１４】
吐出ヘッド１６は、図３に示されるように、ステム１３の上端部に装着された装着筒２１と、装着筒２１から径方向の外側に向けて突出する横筒２２と、横筒２２内に配設され側方に向けて延びる栓体２３と、装着筒２１及び横筒２２を覆う有頂筒状の外郭体２４と、前記ノズル筒１５と、を備えている。
以下、この吐出容器１の平面視において、横筒２２が装着筒２１から突出する方向を前方といい、その反対側を後方という。また、前記平面視において、前後方向に直交する方向を左右方向という。
装着筒２１、横筒２２、栓体２３、及び外郭体２４は全体が一体に形成されている。外郭体２４の前方は開口している。栓体２３の前端部は、横筒２２から前方に突出している。また、吐出ヘッド１６の全体が、外容器２０の内側に位置している。
【００１５】
ノズル筒１５は、横筒２２に前後摺動自在に外嵌されている。吐出孔１４は、ノズル筒１５の前後動に伴い、栓体２３の前端部により開閉される。また、外容器２０には、ノズル筒１５が前後動するのに伴い出没する通過孔２０ａが形成されている。
ノズル筒１５には、図２及び図４に示されるように、左右方向に各別に突出する第１係合突部２５が配設されている。図示の例では、第１係合突部２５は、ノズル筒１５の後端部に配設されている。各第１係合突部２５は、図１及び図４に示されるように、外郭体２４に形成された前後方向に延びる案内溝２４ａを通して外郭体２４の外側に突出している。すなわち、第１係合突部２５は、外郭体２４に対して、中心軸Ｏ方向の移動が規制された状態で、前後摺動自在に案内溝２４ａ内に嵌合されている。
外郭体２４の下端部には、左右方向に各別に突出し、外容器２０の収容体１９に固定される被固定板２６が配設されている。
【００１６】
収容体１９は、容器本体１１を支持する内筒３１と、内筒３１に外装された外筒３２と、を備えている。
外筒３２は筒状に形成され、その内側に、容器本体１１及び吐出器１７が収容されている。外筒３２内には、前端位置に位置するノズル筒１５を後方に復元移動させる付勢部材４７が配設されている。付勢部材４７は前後方向に延設され、前端が、外筒３２の内周面のうち、第１係合突部２５の前方に位置する部分に係止され、後端が、ノズル筒１５の第１係合突部２５に係止されている。付勢部材４７は２つ配設され、各第１係合突部２５に各別に係止されている。なお、付勢部材４７を、中心軸Ｏ方向から見た平面視でコ字状を呈するように一体に形成し、各第１係合突部２５に各別に係止するようにしてもよい。また、付勢部材４７は、吐出ヘッド１６内に配設してもよい。
外筒３２の内周面には、外郭体２４の各被固定板２６の上面に各別に当接する左右一対の係止突部３２ａが突設されている。
【００１７】
内筒３１は、図２及び図４に示されるように、上面視で前方が開口したＣ字状を呈する有底筒状に形成されている。内筒３１の上端開口縁３１ｄ上に、外郭体２４の被固定板２６が載置されている。
このように、内筒３１の上端開口縁３１ｄと外筒３２の係止突部３２ａとが被固定板２６を中心軸Ｏ方向に挟むことにより、吐出ヘッド１６の収容体１９に対する中心軸Ｏ方向の移動が規制されている。すなわち、内筒３１の上端開口縁３１ｄ、及び係止突部３２ａにより、吐出ヘッド１６の収容体１９に対する中心軸Ｏ方向の移動を規制する規制手段を構成している。
また、内筒３１は、図１及び図３に示されるように、外筒３２内に嵌合されるとともに、容器本体１１の外周面を支持する縦支持板３１ｂを備えている。縦支持板３１ｂは、表裏面が左右方向を向くような姿勢で配設されていて、前方を向く端縁が容器本体１１の外周面を支持している。内筒３１の底壁は、容器本体１１の底面から下方に離間している。なお、内筒３１に容器本体１１の底面を支持する支持板を設けたり、容器本体１１の底面を内筒３１の底壁上に載置してもよい。
【００１８】
ここで、装着キャップ１２に、左右方向に各別に突出する第２係合突部２９が配設されており、内筒３１には、第２係合突部２９を支持する支持部３３ａを有し、かつ支持部３３ａが上下動するように回動自在に支持された梃子部材３３が配設されている。なお、第２係合突部２９は、容器本体１１の前記本体部に配設してもよい。
梃子部材３３は、図２及び図４に示されるように、上面視で前方に向けて開口するＣ字状を呈する半円環状に形成されている。梃子部材３３の内側に、装着キャップ１２が配置されている。梃子部材３３は、図１及び図３に示されるような左右方向から見た側面視で、後方から前方に向かうに従い漸次下方に向けて延びる姿勢で、内筒３１に前述のように回動自在に支持されている。また、支持部３３ａは、梃子部材３３の下端部に形成されている。支持部３３ａは、第２係合突部２９の当接する表面が上方を向くように屈曲している。
【００１９】
図示の例では、梃子部材３３は中心軸Ｏと同軸に配設されている。梃子部材３３の両周端部に前記支持部３３ａが形成されている。梃子部材３３における周方向の中央部に、後方に向けて突出する被係合部３３ｂが形成されている。被係合部３３ｂは、梃子部材３３の上端部に形成され、吐出ヘッド１６よりも後方に突出している。
また、梃子部材３３において、支持部３３ａと被係合部３３ｂとの間に位置する各部分には、左右方向の外側に向けて突出し、内筒３１に形成された軸受孔３１ｃに回転自在に嵌合される回転軸部３３ｃが形成されている。
【００２０】
操作ヘッド１８は有頂筒状に形成され、その内側に吐出ヘッド１６が収容され、収容体１９の内側に下降移動自在に配設されている。
操作ヘッド１８には、ノズル筒１５が前後動するのに伴い出没する貫通孔１８ａが形成されている。図示の例では、外筒３２において貫通孔１８ａと対向する位置にも、ノズル筒１５が出没する連通孔３２ｂが形成されている。これらの貫通孔１８ａ及び連通孔３２ｂによって、前述した外容器２０の通過孔２０ａを構成している。
【００２１】
操作ヘッド１８は、下方に向けて突設され、操作ヘッド１８の吐出ヘッド１６に対する下降移動に伴い、ノズル筒１５に突設された第１係合突部２５に係合して、ノズル筒１５を前方に移動させる第１操作突片４４と、下方に向けて突設され、操作ヘッド１８の吐出ヘッド１６に対する下降移動に伴い梃子部材３３に係合し、梃子部材３３を支持部３３ａが上昇するように回動させる第２操作突片４５と、を備えている。
【００２２】
第１操作突片４４、及び第２操作突片４５は、操作ヘッド１８の頂壁から下方に向けて突設され、表裏面が左右方向を向くような板状に形成されている。
第１操作突片４４は、左右方向に間隔をあけて２つ配置され、操作ヘッド１８の吐出ヘッド１６に対する下降移動に伴い、２つの第１係合突部２５に各別に係合する。第１操作突片４４の下端縁４４ａは、前方から後方に向かうに従い漸次下方に向けて延在している。第１操作突片４４の下端縁４４ａの後端は、第１係合突部２５に第１係合突部２５の上方から当接若しくは近接している。
第２操作突片４５は、梃子部材３３の被係合部３３ｂから上方に離間している。
【００２３】
次に、上述した吐出容器１の作用について説明する。
【００２４】
まず、操作ヘッド１８を吐出ヘッド１６に対して下降させると、第１操作突片４４が第１係合突部２５に係合することで、図５及び図６に示されるように、ノズル筒１５が前進し通過孔２０ａを通して外容器２０の外側に突出する。図示の例では、第１操作突片４４の下端縁４４ａが、第１係合突部２５に摺接しながら下降することで、付勢部材４７の後方付勢力に抗してノズル筒１５が前進する。そして、ノズル筒１５が前進端位置に位置したときに、第１係合突部２５は、第１操作突片４４の前端縁４４ｂに当接する。また、この際、操作ヘッド１８の第２操作突片４５が、梃子部材３３の被係合部３３ｂに当接若しくは近接する。
【００２５】
そして、さらに操作ヘッド１８を吐出ヘッド１６に対して下降させると、図７に示されるように、第２操作突片４５が、梃子部材３３の被係合部３３ｂを押し下げることで、梃子部材３３が、第２係合突部２９を支持する支持部３３ａを上昇させるように、回転軸部３３ｃ回りに回動する。なお、この際、第１係合突部２５は、第１操作突片４４の前端縁４４ｂに摺接する。ここで、第１操作突片４４の前端縁４４ｂは、中心軸Ｏと平行に延在しており、この前端縁４４ｂに第１係合突部２５が摺接することで、ノズル筒１５の後退移動が規制されている。
これにより、容器本体１１が外容器２０に対して上昇する。このとき、吐出ヘッド１６の収容体１９に対する上昇移動（中心軸Ｏ方向の移動）が、前述のように規制されているので、吐出ヘッド１６及びステム１３が相対的に容器本体１１に対して押し下げられることとなり、内容物が吐出孔１４から吐出される。
その後、操作ヘッド１８の押し下げを解除すると、付勢部材４７によりノズル筒１５が後方に復元移動させられて外容器２０の内側に戻り、また、ステム１３の復元力により容器本体１１が第２係合突部２９とともに下降することで、梃子部材３３が、支持部３３ａが下降するように回動する。
【００２６】
以上説明したように、本実施形態による吐出容器１によれば、操作ヘッド１８を押し下げる操作だけで、ノズル筒１５を外容器２０の外側に突出させて吐出孔１４から内容物を吐出することが可能になり、また、操作ヘッド１８の押し下げを解除するだけで、ノズル筒１５を外容器２０の内側に戻すことができる。
一方、内容物を吐出する前の待機状態では、ノズル筒１５が外容器２０の内側に位置しているので、この待機状態で、ノズル筒１５が邪魔にならず、吐出容器１の見映えの悪化を防ぐことができる。
以上より、内容物を吐出する前の待機状態で、ノズル筒１５が邪魔にならず、吐出容器１の見映えの悪化を防ぐことができるだけでなく、優れた操作性を具備させることもできる。
さらに、前述のように、吐出ヘッド１６及びステム１３を相対的に容器本体１１に対して押し下げて内容物を吐出する際に、梃子部材３３を、支持部３３ａが上昇移動するように回動させるので、内容物を吐出する際に要する押下力を抑制することができる。
【００２７】
また、梃子部材３３が、後方から前方に向かうに従い漸次下方に向けて延びる姿勢とされて、内筒３１に回動自在に支持され、梃子部材３３の下端部に、支持部３３ａが形成され、梃子部材３３の上端部に位置する被係合部３３ｂに、第２操作突片４５が係合するので、第２操作突片４５により梃子部材３３の被係合部３３ｂを押し下げたときの力を、容器本体１１に効率よく伝達することが可能になり、操作性を確実に向上させることができる。
【００２８】
本発明は上記した実施の形態に限定されるものではなく、その趣旨を逸脱しない範囲で適宜変更可能である。
【００２９】
例えば  前記実施形態では、外容器２０の収容体１９として、内筒３１及び外筒３２を備える構成を示したが、これに限らず適宜変更してもよい。
また、梃子部材３３は、前後方向に沿って延びる姿勢、若しくは後方から前方に向かうに従い漸次上方に向けて延びる姿勢として、収容体１９に回動自在に支持されてもよい。
また、容器本体１１として、例えば、ブロー成形容器、中皿摺動式容器、または積層剥離容器等、種々の構成を採用することができる。
また、吐出器１７として、いわゆるポンプ機構を有する構成に限らず、例えばエアゾール機構を有する構成等を採用してもよい。
また、容器本体１１は、装着キャップ１２を有しなくてもよい。
また、外容器２０の通過孔２０ａは、前記実施形態に限らず、例えば操作ヘッド１８及び収容体１９のうちのいずれか一方にのみ形成する等適宜変更してもよい。
また、操作ヘッド１８は、有頂筒状に限らず、例えば平板状等にしてもよく、吐出ヘッド１６を収容しなくてもよい。
【００３０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３１】
１  吐出容器
１１  容器本体
１３  ステム
１４  吐出孔
１５  ノズル筒
１６  吐出ヘッド
１７  吐出器
１８  操作ヘッド
１９  収容体
２０  外容器
２０ａ  通過孔
２５  第１係合突部
２９  第２係合突部
３１ｄ  上端開口縁（規制手段）
３２ａ  係止突部（規制手段）
３３  梃子部材
３３ａ  支持部
４４  第１操作突片
４５  第２操作突片
４７  付勢部材
【図１】
2015143119.tif 000003
【図２】
2015143119.tif 000004
【図３】
2015143119.tif 000005
【図４】
2015143119.tif 000006
【図５】
2015143119.tif 000007
【図６】
2015143119.tif 000008
【図７】
2015143119.tif 000009